(57)【要約】【課題】  エア給送方式のシート給送装置で、タブ部を下流側になるようにセットしてタブ部を有するシートを積載して送り出す場合に、吸着搬送時に下側のシートのタブを吸引してしまい重送を起こしやすい。【解決手段】  タブ部を有するシートを、タブ部をシート給送方向の下流側になるように収納庫１１に積載して給送する場合には、給紙信号に吸着シャッタ３７を開いてシートの吸着動作を開始して、吸着完了検知センサ１９による吸着完了を検知した直後に吸着搬送ベルト２１を回転させてシートの搬送を開始し、通常のシートを給送する場合は、予め吸着シャッタ３７を開いてシートを吸着搬送ベルト２１に吸着させ、給紙信号により吸着搬送ベルト２１を回転させてシートの搬送を開始する。【選択図】  図６
2010173793.tif 000002
【特許請求の範囲】
【請求項１】
シートを積載するシート積載部と、
前記シート積載部に積載されているシートの最上位のシートを吸着しつつ搬送する吸着搬送部と、
前記吸着搬送部にシートを負圧により吸着させる吸着部と、
前記吸着搬送部へのシートの吸着が完了したことを検知する吸着完了検知手段と、
を備えたシート給送装置において、
タブ部を有するシートを、タブ部をシート給送方向の下流側になるように前記シート積載部に積載して給送する場合には、給紙信号により前記吸着部によるシートの吸着動作を開始して、前記吸着完了検知手段による吸着の完了を検知した直後に前記吸着搬送部の搬送を開始し、
タブ部を有するシート以外のシートを給送する場合は、予め前記吸着部によりシートを吸着搬送部に吸着させ、給紙信号により前記吸着搬送部の搬送を開始することを特徴とするシート給送装置。
【請求項２】
前記シート積載部に積載されているシートにエアを吹き付けて浮上させるエア吹き付け部を備え、前記エア吹き付け部は給紙準備信号により動作を開始してシートを浮上させ、タブ部を有するシートを給送する場合には、給紙信号により前記吸着部によるシートの吸着動作を開始するまでシートを浮上させた状態に維持し、タブ部を有するシート以外のシートを給送する場合は、給紙信号の前に前記吸着部により浮上しているシートを吸着搬送部に吸着させ、給紙信号により前記吸着搬送部の搬送を開始することを特徴とする請求項１に記載のシート給送装置。
【請求項３】
シートを積載するシート積載部と、
前記シート積載部に積載されているシートの最上位のシートを吸着しつつ搬送する吸着搬送部と、
前記吸着搬送部にシートを負圧により吸着させる吸着部と、
前記吸着搬送部へのシートの吸着が完了したことを検知する吸着完了検知手段と、
を備えたシート給送装置において、
タブ部を有するシートを、タブ部をシート給送方向の下流側になるように前記シート積載部に積載して給送する場合には、前記吸着完了検知手段が吸着完了を検知した後に、前記吸着搬送部によるシートの搬送動作を開始して、シートを所定量搬送した後に、吸着搬送部を停止させ、さらに所定時間停止させた後に前記吸着搬送部によって搬送を再開することを特徴とするシート給送装置。
【請求項４】
前記吸着完了検知手段が吸着完了を検知した後に、前記吸着搬送部によるシートを搬送する所定量は、タブ部の形状に応じて異なる値が設定されることを特徴とする請求項３に記載のシート給送装置。
【請求項５】
シートを積載するシート積載部と、
前記シート積載部に積載されているシートの最上位のシートを吸着しつつ搬送する吸着搬送部と、
前記吸着搬送部にシートを負圧により吸着させる吸着部と、
前記吸着搬送部へのシートの吸着が完了したことを検知する吸着完了検知手段と、
を備えたシート給送装置において、
タブ部を有するシートを、タブ部をシート給送方向の下流側になるように前記シート積載部に積載して給送する場合は、前記吸着完了検知手段の検知に基づいて前記吸着搬送部の吸着部の吸着動作を停止し、その後、所定時間経過してから前記吸着搬送部によるシート搬送を開始することを特徴とするシート給送装置。
【請求項６】
前記吸着搬送部の吸着部の吸着動作を停止してから前記吸着搬送部の搬送動作を開始するまでの所定時間は、シートの種類に応じて異なる値が設定されることを特徴とする請求項５記載のシート給送装置。
【請求項７】
シートに画像を形成する画像形成部と、前記画像形成部により画像が形成されたシートに後処理を行う後処理部と、
前記画像形成部から前記後処理部に搬送される連続シートの間に挿入されるシートを供給するための請求項１乃至請求項６のいずれか１項に記載のシート給送装置と、を備えたことを特徴とする画像形成システム。
【発明の詳細な説明】
【技術分野】
【０００１】
本発明は、積載されたシートからシートを１枚ずつ給送するシート給送装置及びシート給送装置を備えた画像形成システムに関する。
【背景技術】
【０００２】
従来、プリンタ、複写機等の画像形成装置に給紙ユニット、インサート装置、後処理装置等を接続して画像形成システムを構成したものがある。この画像形成システムにおける画像形成装置の本体、給紙ユニット、インサート装置には、画像形成部や後処理装置にシートを供給するためにシート積載手段に積載されたシートを一枚ずつ分離して送り出すシート給送装置が設けられている。このシート給送装置としては、シート積載手段に積載されたシートの側面からエアを吹き付けて浮上させ、最上位のシートを吸着搬送ベルトに吸着させて搬送する、いわゆるエア給送方式によるシート給送装置が知られている（特許文献１参照）。
【０００３】
図９にこのエア給送方式によるシート給送装置の一例の模式図を示す。
【０００４】
シート給送装置は、シートＰを積載するトレイ１２と、シートにおける給送方向の先端位置を規制する先端規制板１７と、シートＰの後端位置を規制する後端規制板１３と、を備えている。また、シートＰのシート給送方向と直交する方向（シートの幅方向）の位置を規制するための側端規制板１４が備えられている。そして、トレイ１２に積載されたシートを各規制板により前後左右の位置決めが行われる。また、シート給送装置は、トレイ１２に積載されたシート束の側面からエアを吹き付けるエア吹き付け部と、上方に配置され、最上位のシートを吸着して搬送するための吸着搬送部と、を備えている。
【０００５】
エア吹き付け部は、トレイ１２に積載されているシート束の上部に側方からエアを吹き付けることにより、上部の複数枚のシートを浮上させるための捌きノズル３３を備えている。また、エア吹き付け部は、捌きノズル３３から吹き付けられたエアによって浮上されたシートの最上位のシートとその下のシートとの間にエアを吹き付けて最上位のシートを１枚に分離するための分離ノズル３４とを備えている。
【０００６】
吸着搬送部は、シートを吸着し図９中右方向に搬送する吸着搬送ベルト２１と、吸着搬送ベルト２１の内側に配置される吸引ダクト５１と、吸引ダクト５１内を負圧にするための吸着ファン３６と、を備えている。吸着搬送ベルト２１には多数の吸引孔が設けられており、吸引ダクト５１内の負圧により吸引孔からエアを吸引することにより最上位のシートが吸着搬送ベルト２１の吸着面に吸着される。なお、吸引ダクト５１には、シートＰが吸着搬送ベルト２１に吸着したことを検知する吸着完了検知センサ１９が設けられている。
【０００７】
トレイ１２に積載されたシートＰは、先端規制板１７と後端規制板１３により、給送方向に対する位置が規制される。捌きノズル３３により図９中Ｄ方向に吹き付けられたエアは、シート束の上部数枚を浮上させ、分離ノズル３４により図９中Ｅ方向に吹き付けられたエアは、シートを１枚ずつ分離して吸着搬送ベルト２１に吸着できるようにする。さらに、吸着ファン３６によって吸引ダクト５１内を負圧状態にすることによりシートを吸着搬送ベルト２１に吸着させることができる。そして、吸着完了検知センサ１９が吸着搬送ベルト２１へのシートの吸着を検知した後、吸着搬送ベルト２１を回転させることにより吸着されたシートを図９中右方向へ搬送する。
【０００８】
ところで、近年、冊子等を作成する要望が高まっており、冊子の仕切り紙としてタブが付いたシート（以下、タブ付シートという）が用いられる場合があり、エア給送方式によるシート給送装置においてもタブ付シートを給送する必要が生じている。
【０００９】
ここで、シート給送装置では、画像形成装置の画像形成の位置や画像形成装置の下流に接続される後処理装置の処理位置に応じて、タブ付シートのトレイ１２上でのセット方向が異なる。タブ部を先端側にして送る場合にはタブ部を給送方向下流側にしてタブ付シートがトレイ１２にセットされ、タブ部を後端側にして送る場合にはタブ部が給送方向上流側にしてタブ付シートがトレイ１２をセットされる。タブ部を給送方向上流側にしてタブ付シートがセットされる場合に、後端規制板１３の幅方向（シート給送方向と直交する方向）の長さが短い場合には、タブ部の位置によってはタブ部が規制できずにシートが後方へずれてしまうという問題がある。しかし、後端規制板に、セットされるタブ付シートの全てのタブ部に当接可能なタブガイド部材を取り付けることでこの問題を解決する提案がなされている（特許文献２参照）。
【特許文献１】特開平７−１９６１８７号公報
【特許文献２】特開２０００−２２９７３２号公報
【発明の開示】
【発明が解決しようとする課題】
【００１０】
しかし、タブ部を給送方向下流側にしてセットされたタブ付シートを給送する場合には、次のような問題が生じた。図１０は、このようにタブ付きシートがセットされたときの吸着搬送部と最上位のタブ付シートＳＡの下視図を示し、図１１は、吸引ダクト５１の吸引口５２とタブ付シートＳの上視図を示す。
【００１１】
吸引ダクト５１の下面には吸引口５２が形成されており、吸着搬送ベルト２１の吸引孔に対向して配置されている。吸引ダクト５１が負圧になると、吸着搬送ベルト２１の吸引孔から吸引口５２を介してエアが吸引されて、最上位のタブ付きシートＳＡが吸着搬送ベルト２１に吸着される。
【００１２】
一般的に、タブ付きシートＳのタブ部はシートの端部に一部分を突出させて形成されており、さらに、シートの端部に沿って形成されている位置がシート毎にずれている。そのため、図１０に示すように、タブ部が給送方向下流側になるようにタブ付シートＳがセットされた場合、最上位のタブ付シートＳＡを吸着した際に、吸引ダクト５１の吸引口５２をタブ付シートＳＡによって塞ぐことができない。そのため、最上位のタブ付きシートＳＡだけでなく次のタブ付きシートに対して吸引口５２の一部分が対向してしまう。この状態で吸引ダクト５１を負圧にして吸着搬送ベルト２１の吸引孔からエアを吸引すると、図１１に示すように、最上位のタブ付きシートの下側にあるタブ付きシートＳＢ、ＳＣ、ＳＤ・・・のタブ部が吸着されてしまう。このようにして下側のシートが吸着されてしまうと、２枚以上のシートが吸着搬送ベルト２１に吸着されて搬送されてしまい、シートの重送（シートが重なった状態で送り出される現象）が発生する。
【００１３】
なお、図１１の斜線で示す部分５２Ａが、タブ付シートＳＡによって塞ぐことができない吸引ダクト５１の吸引口５２の部分を示している。
【００１４】
そこで、タブ部を給送方向下流側になるようにセットした場合に、吸引ダクト５１の吸引口５２のタブ部と重なるエリアを塞ぐことで、下側にあるタブ付きシートＳＢ、ＳＣ、ＳＤ・・・のタブ部の吸着を防ぎ、重送を防止することが考えられる。しかし、この構成を採用すると、先端規制板１７と吸引ダクト５１の吸引口５２との間の距離Ｌが長くなり、その部分では吸着ができないためシートの先端側の吸着できない範囲が広くなってしまう。そのため、タブ付シート以外のシートを給送する場合に、例えば薄いシート等のように剛度が小さいシートでは先端部が垂れてしまい、吸着搬送ベルト２１で搬送を開始するときにガイド等に引っ掛ってジャムが発生する等の問題が生じる。すなわち、吸着搬送ベルト２１に吸着されたシートの先端側が垂れないように、できるだけ吸引ダクト５１の吸引口５２を先端規制板１７の近くまで広げる必要があるが、吸引口５２を広げると上述したようにタブ付シートＳの重送が発生する。
【００１５】
そこで、本発明は上記問題に鑑みてなされたもので、タブ部が給送方向下流側になるようにセットされたタブ付シートを給送する場合でも、シートの重送やジャムを発生させることがないエア給送方式によるシート給送装置を提供することを目的とする。
【課題を解決するための手段】
【００１６】
本発明は、シートを積載するシート積載部と、前記シート積載部に積載されているシートの最上位のシートを吸着しつつ搬送する吸着搬送部と、前記吸着搬送部にシートを負圧により吸着させる吸着部と、前記吸着搬送部へのシートの吸着が完了したことを検知する吸着完了検知手段と、を備えたシート給送装置において、タブ部を有するシートを、タブ部をシート給送方向の下流側になるように前記シート積載部に積載して給送する場合には、給紙信号により前記吸着部によるシートの吸着動作を開始して、前記吸着完了検知手段による吸着の完了を検知した直後に前記吸着搬送部の搬送を開始し、タブ部を有するシート以外のシートを給送する場合は、予め前記吸着部によりシートを吸着搬送部に吸着させ、給紙信号により前記吸着搬送部の搬送を開始することを特徴とする。
【００１７】
また、本発明は、シートを積載するシート積載部と、前記シート積載部に積載されているシートの最上位のシートを吸着しつつ搬送する吸着搬送部と、前記吸着搬送部にシートを負圧により吸着させる吸着部と、前記吸着搬送部へのシートの吸着が完了したことを検知する吸着完了検知手段と、を備えたシート給送装置において、タブ部を有するシートを、タブ部をシート給送方向の下流側になるように前記シート積載部に積載して給送する場合には、前記吸着完了検知手段が吸着完了を検知した後に、前記吸着搬送部によるシートの搬送動作を開始して、シートを所定量搬送した後に、吸着搬送部を停止させ、さらに所定時間停止させた後に前記吸着搬送部によって搬送を再開することを特徴とする。
【００１８】
また、本発明は、シートを積載するシート積載部と、前記シート積載部に積載されているシートの最上位のシートを吸着しつつ搬送する吸着搬送部と、前記吸着搬送部にシートを負圧により吸着させる吸着部と、前記吸着搬送部へのシートの吸着が完了したことを検知する吸着完了検知手段と、を備えたシート給送装置において、タブ部を有するシートを、タブ部をシート給送方向の下流側になるように前記シート積載部に積載して給送する場合は、前記吸着完了検知手段の検知に基づいて前記吸着搬送部の吸着部の吸着動作を停止し、その後、所定時間経過してから前記吸着搬送部によるシート搬送を開始することを特徴とする。
【発明の効果】
【００１９】
タブ付きシートを級送するための専用の機構を追加する必要がないためコストの上昇を抑えることができる。
【発明を実施するための最良の形態】
【００２０】
以下、図を参照して、本発明の画像形成装置の第１の実施の形態について説明する。ただし、以下に記載されている構成部品の寸法、材質、形状、それらの相対配置、個数等は、本発明が適用される装置の構成や各種条件により適宜変更されるべきものである。従って、特定的な記載がない限りは、本発明の範囲をそれらのみに限定する趣旨のものではない。
【００２１】
図１は、本発明の第１の実施の形態に係る画像形成システムの概略断面図である。画像形成装置１０００の下流側にインサート装置７００、さらに下流側にシートに後処理を行う後処理部としての後処理装置８００を順に接続して、画像形成装置システムを構成している。
【００２２】
まず、画像形成装置１０００について説明する。原稿給送部１００により原稿が読み取り位置１０２まで自動的に送られ、スキャナユニット１０４、イメージセンサ１０９等からなる画像読取部で画像情報が読み取られる。読み取られた画像情報は不図示のコントローラにより処理され、露光制御部１１０へ送られる。露光制御部１１０は、処理結果に基づいたレーザ光を出力し、感光体ドラム１１１上に静電潜像が形成される。
【００２３】
一方、紙やＯＨＴ等のシートＰは、画像形成部の下側に配置されたシート給送装置１１４、１１５から画像形成部へ供給される。画像形成部では、感光体ドラム１１１上の静電潜像が現像器１１３により現像され、現像された感光体ドラム１１１上のトナー画像が、転写部１１６においてシートに転写される。転写されたシートは定着部１７７でトナー像を定着され、下流のインサート装置７００に搬送される。
【００２４】
画像形成装置の下流側に配置されているインサート装置７００は、画像形成装置１０００で画像が形成されて連続して搬送されてくる連続シートの先頭頁、最終頁、または途中の頁に別のシートを挿入する装置である。インサート装置７００にはエア給送方式のシート給送装置２００が複数備えられており、シート給送装置２００の構成については後述する。シート給送装置２００から所望のタイミングで送り出されたインサートシートは画像形成装置１０００を通さずに、画像形成されてくるシートの間に供給されて下流側に配設されたシート後処理装置へ搬送される。
【００２５】
後処理装置は８００、では、画像形成がされたシートやインサート装置７００から送られてきたインサートシートを纏めてステープル処理や折り処理などを行って冊子等を形成する。
【００２６】
次に、本発明に係るシート給送装置２００の第１の実施の形態を説明する。
【００２７】
図２において、シート積載部である収納庫１１は、複数のシートＰが積載されるトレイ１２を備えており、ステッピングモータ又はＤＣサーボモータ等の駆動源により昇降制御される。また、収納庫１１は、シートＰの給送方向下流側（シートの先端側）の位置を規制する先端規制板１７と、シートＰの給送方向上流側（シートの後端側）の位置を規制する後端規制板１３と、を備えている。さらに、収納庫１１は、シートＰのシート搬送方向と直角な方向（シート幅方向）の位置を規制する側端規制板１４を備えている。そして、後端規制板１３および側端規制板１４は、収納されるシートＰのサイズによって位置を任意に変えられるようにスライド移動可能に設けられている。
【００２８】
また、収納庫１１は、スライドレール１５によって装置本体から引き出し可能に設けられており、収納庫１１が装置本体から引き出されたときにトレイ１２が所定の位置まで下降してシートＰの補充や交換等を行うことができる。
【００２９】
さらに、図２に示すように、シート積載部である収納庫１１の上方にはシートを１枚ずつ分離して給送するためのエア給送方式のシート給送機構が配置されている。このエア給送方式のシート給送機構は、従来と同様に、シートを吸着搬送する吸着搬送部と、収納されているシートの上部を浮上させるとともに１枚ずつ分離するためのエア吹き付け部とを備えている。
【００３０】
吸着搬送部は、ベルト駆動ローラ４１に掛け渡されて、シートを吸着して図２中右方向に搬送する吸着搬送ベルト２１を備えている。また、吸着搬送ベルト２１の内側に一部分が配置され、吸着搬送ベルト２１に形成されている吸引孔２１Ａ（図１０に図示）を介してエアを吸引するための吸引ダクト５１を備えている。吸引ダクト５１の吸着搬送ベルト２１と逆側には吸着ファン３６が配置されており、吸着ファン３６はシートを吸着搬送ベルト２１に吸着させるために吸引ダクト５１内を負圧にする。また、吸引ダクト５１内には、シートが吸着搬送ベルト２１に吸着したことを検知するための吸着完了検知センサ１９が配置されている。さらに、吸着ファン３６と吸引ダクト５１との間に配置され、吸着搬送ベルト２１の吸着動作をＯＮ／ＯＦＦするための吸着シャッタ３７と、吸着シャッタを作動させるソレノイド３７ＳＬ（図５に図示）を備えている。なお、吸着ファン３６と、吸着シャッタ３７とによって本発明の吸着部が構成される。
【００３１】
収納庫１１を装置本体から引き出してシートの補充や交換が終了し、再び収納庫１１を装置本体にセットすると、トレイ１２が図２中Ａ方向に上昇して、吸着搬送ベルト２１と最上位のシート上面の距離がＢになる位置で停止する。
【００３２】
収納庫１１の上方に、シートの上面を検知するためのシート検知センサ５４が配置されていて、シート検知センサ５４からの検知信号に基づき、収納庫１１を収納した際のトレイ１２の上昇停止制御やシート給送動作中のトレイ１２の昇降制御が行われる。シート給送動作中のトレイ１２の昇降制御は、後述する制御部Ｃが、シート検知センサ５４からの出力結果に基づき、最上位のシートの位置がシートの給送を行うのに最適であるか否かの判定を行って、その判定に従ってトレイ１２の昇降制御を行う。シート給送動作中は、後述するエア吹き付け部からシートに向けてエアを吹き付けて浮上させているので、浮上させている最上位のシートの上面を検知することになる。そして、トレイ１２を昇降制御することにより、浮上している最上位のシートが給送可能な上限位置と下限位置との間の領域内に位置するように維持させる。
【００３３】
図３に基づいてエア吹き付け部を説明する。エア吹き付け部には、収納されているシートの上部に側方からエアを吹き付けるための捌きノズル３３と分離ノズル３４とを備え、各ノズル３３、３４には分離ダクト３２を介して分離ファン３１からエアが送られるように構成されている。分離ファン３１により図３中Ｃ方向に吸い込まれたエアは捌きノズル３３によりＤ方向に吹き付けられ、収納庫１１のトレイ１２上に支持されているシートの上部のうち数枚を浮上させる。また、分離ファン３１から吹き出されたエアによって、吸着搬送ベルト２１に吸着された最上位のシートと次のシートとを分離する。
【００３４】
図５は、本実施の形態のシート給送装置２００を制御するための制御ブロック図であり、図面に基づいてこのブロック図を説明する。
【００３５】
制御部Ｃには、シート検知センサ５４及び吸着完了検知センサ１９から出力された検知信号が入力される。そして、制御部Ｃは、各センサの検知信号に基づいて、ベルト駆動モータ２１Ｍ、トレイ駆動モータ１２Ｍ、ソレノイド３７ＳＬ、捌き・分離ファン３１、吸着ファン３６などを適宜制御する。
【００３６】
なお、本実施の形態では、制御部Ｃは、シート給送装置２００を備えたインサート装置７００に配置されているが、インサート装置が接続される画像形成装置１０００や後処理装置８００などの制御部に設けてもよい。また、画像形成システム全体を制御する制御部を有するものでは、その全体を制御する制御部に設けてもよい。
【００３７】
つづいて、本第１の実施の形態に係るシート給送装置２００のシート給送動作を図４に基づいて説明する。
【００３８】
制御部Ｃに給紙準備信号が入力されると、エア吹き付け部が動作を開始してシートＰにエアの吹き付け行われて、最上位のシートを規定の領域内に浮上させておく。このときには、吸着シャッタ３７は閉じていて、吸引ダクト５１内はまだ負圧状態とはなっていないため、最上位のシートは浮上した状態である。なお、給紙準備信号は、給紙信号が出されたときに、シートの浮上を安定させておくために給紙信号よりも前に出されるもので、予め給紙信号が出される時刻から所定の時間前に本体側の制御部から制御部Ｃに送られる。
【００３９】
制御部Ｃから給送信号が送られると、吸着ファン３６の駆動を開始し、さらに吸着シャッタ３７をソレノイド３７ＳＬにより図６中Ｇ方向に回転させることで、吸引ダクト５１内に負圧を生じさせる。吸引ダクト５１内の負圧によって吸着搬送ベルト２１に設けられている複数の吸引孔２１Ａから図４中Ｈ方向への吸引力が発生し、浮上している複数のシートのうち最上位のシートが吸着搬送ベルト２１に吸着される。その際分離ノズル３４によりエアが吹き付けられ、最上位のシートが１枚に確実に分離させることで重送の発生を抑えられている。
【００４０】
続いて、ベルト駆動ローラ４１を図４中反時計周りに回転させることで、吸着搬送ベルト２１に吸着されたシートは図中右方向に搬送され、さらに引き抜きローラ対４２に受け渡されて画像形成部に向けて搬送される。
【００４１】
次に、本発明の第１の実施の形態での特徴である、タブ部を給送方向下流側にセットされたタブ付シートの給送動作を図６（ａ）のフローチャートを参照して説明する。
【００４２】
上述したように、制御部Ｃに給紙準備信号が入力されると、エア吹き付け部が動作を開始してタブ付シートにエアの吹き付け行われて、最上位のタブ付シートを規定の領域内に浮上させておく。このときには、吸着シャッタ３７は閉じていて、吸引ダクト５１内はまだ負圧状態とはなっていないため、最上位のタブ付シートは浮上した状態である。
【００４３】
制御部Ｃに本体側の制御部から給紙信号が入力されるのを待つ（ステップ１：以下ステップをＳと記す）。給紙信号が入力されると、制御部Ｃは、吸着シャッタ３７を開放し、吸引ダクト５１からエアを吸引して最上位のタブ付シートを吸着搬送ベルト２１に吸着させる（Ｓ２）。タブ付シートが吸着搬送ベルト２１に吸着されて吸着完了検知センサ１９がＯＮし（Ｓ３）、その直後にベルト駆動モータ２１ＭをＯＮして吸着搬送ベルト２１を回転させ（Ｓ４）、吸着搬送ベルト２１に吸着された最上位のタブ付シートを搬送する。
【００４４】
なお、（Ｓ４）において、吸着完了検知センサ１９がＯＮした直後に吸着搬送ベルト２１を回転させている。これは、最上位のシートが吸着搬送ベルト２１に吸着した後も、吸引ダクト５１の吸引口５２の給送方向下流側が塞がれていないため、時間が経つと最上位のシートの下側で浮上しているタブ付シートのタブ部が吸引されてしまうおそれがある。そこで、吸着完了検知センサ１９がＯＮした直後に吸着搬送ベルト２１の回転を開始することで、最上位のタブ付シートの下側で浮上しているタブ付シートが吸着搬送ベルト２１に吸着される前に搬送を開始して重送を防ぐことができる。
【００４５】
ここで、「吸着完了検知センサ１９がＯＮした直後」とは、吸着完了検知センサ１９の検知信号が制御部Ｃに入力されるとすぐに制御部Ｃがベルト駆動モータ２１Ｍに回転させる駆動信号を出力して動作を開始させることである。すなわち、吸着完了検知センサ１９によるシートの吸着検知から吸着搬送ベルト２１によるシートの搬送を開始するまでの時間が非常に短い時間である。そのため、最上位のタブ付きシートが下側のタブ付シートのタブ部が吸着搬送ベルト２１に吸着される前に搬送されて吸引口５２を塞ぐことができるため、下側のタブ付きシートのタブを吸着することがなく重送が防止できる。なお、この吸着検知から搬送までの短い時間は、吸着完了検知センサ１９からの検知信号を受けて制御部Ｃが駆動信号を出力するまでの応答時間や、ベルト駆動モータ２１Ｍが駆動信号を受けて回転を開始するまでの応答時間等で生じる遅れ時間である。そして、この遅れ時間は、一般的な装置では、１０〜２０ｍｓｅｃ程度の短い時間である。
【００４６】
次に、図６（ｂ）のフローチャートを参照し、タブ付シート以外のシートＰの給送動作を説明する。
【００４７】
まず、上述のタブ付きシートの制御と同様に、給紙準備信号が入力されると、エア吹き付け部が動作を開始してシートＰにエアの吹き付け行われて、最上位のシートを規定の領域内に浮上させておく。最上位のシートの浮上が安定した時間が経過したところで、吸引ダクト５１を負圧にしてエアを吸引し、最上位のシートを吸着搬送ベルト２１に吸着させる（Ｓ１１）。そして、吸着完了検知センサ１９がＯＮし（Ｓ１２）、シートが吸着搬送ベルト２１に吸着した状態で、給紙信号が入力されるのを待つ（Ｓ１３）。その後、給紙信号が入力されると、ベルト駆動モータ２１ＭをＯＮして吸着搬送ベルト２１を回転させることで、吸着搬送ベルト２１に吸着されたシートＰを搬送する（Ｓ１４）。
【００４８】
なお、タブ付シート以外のシートＰを給送する場合には、（Ｓ１３）において、シートが吸着搬送ベルト２１に吸着した状態で給紙信号が入力されるのを待っている。これは、給紙信号が入力された直後に吸着搬送ベルト２１による搬送を開始できるようにすることで、高い生産性に対応するためである。すなわち、給紙信号が入力される前に最上位のシートを吸着搬送ベルト２１に吸着させて待機させておくことにより、迅速に且つ確実にシートの給送が可能となる。
【００４９】
なお、タブ付きシートの給送の制御では、給紙信号が入力されてから吸着搬送ベルト２１への吸着動作が開始されるため生産性が少し低下するが、重送を防止することを優先させている。また、タブ付シートの給送の制御では、吸着搬送ベルト２１がシートを検知するとすぐに搬送を開始するため、分離性も少し低下する。しかしながら、一般的にタブ付きシートは冊子の仕切りのために使用するものであり、比較的厚紙が使用されて剛度も大きいため分離性がよく、分離不良等を起こしにくいため問題とはならない。
【００５０】
以上、説明したように、エア給送方式のシート給送装置において、タブ部が給送方向下流側にセットされたタブ付シートを給送する場合でも、シートの重送やジャムが防止できる。
【００５１】
（第２の実施の形態）
図７のフローチャートを参照し、本発明の第２の実施の形態における、タブ部を給送方向下流側にセットされたタブ付シートの給送動作を説明する。なお、本第２の実施の形態は、第１の実施の形態に対して、搬送制御が異なるものであるため、その搬送制御の異なる部分のみを詳細に説明して、その他は第１の実施の形態と同じであるため説明を省略する。
【００５２】
制御部Ｃに給紙準備信号が入力されると、エア吹き付け部が動作を開始してタブ付シートにエアの吹き付け行われて、最上位のタブ付シートを規定の領域内に浮上させておく。このときには、吸着シャッタ３７は閉じていて、吸引ダクト５１内はまだ負圧状態とはなっていないため、最上位のタブ付シートは浮上した状態である。
【００５３】
制御部Ｃに本体側の制御部から給紙信号が入力されるのを待つ（ステップ２１：以下ステップをＳと記す）。給紙信号が入力されると、制御部Ｃは、吸着シャッタ３７を開放し、吸引ダクト５１からエアを吸引して最上位のタブ付シートを吸着搬送ベルト２１に吸着させる（Ｓ２２）。タブ付シートが吸着搬送ベルト２１に吸着されることにより吸着完了検知センサ１９がＯＮし（Ｓ２３）、その直後に吸着搬送ベルト２１を回転させることで（Ｓ２４）、吸着搬送ベルト２１に吸着された最上位のタブ付シートが搬送される。
【００５４】
なお、ここまでの制御は第１の実施の形態と同じであり、「吸着完了検知センサ１９がＯＮした直後に吸着搬送ベルト２１を回転させる」という状態も第１の実施の形態で説明したものと同じである。
【００５５】
そして、最上位のタブ付シートの下にあるタブ付シートのタブ部が吸着されない位置、すなわち、吸引ダクト５１の吸引口５２を塞ぐ位置まで最上位のタブ付シートが所定量搬送される。このときの最上位のタブ付シートを搬送する量は、最低限として最上位以外のタブ付きシートにおける吸引ダクト５１の吸引口５２に対向している領域（シート給送方向の長さ）である。装置によって異なるが、約３ｍｍから最大で一般的に市場に流通しているタブ紙のタブ幅である約１２ｍｍ程度に設定さる。
【００５６】
この設定された搬送量をタブ付きシートが搬送されたかの判断は、吸着搬送ベルト２１のシート搬送速度で演算をして時間に換算し、この演算した時間Ｘが経過したかで判断する。このようにして演算された時間Ｘが経過したかを判断し（Ｓ２５）、時間Ｘを経過したならば吸着搬送ベルト２１を停止しさせる（Ｓ２６）。そして、最上位のタブ付きシートが移動して停止した状態を所定時間（例えば１秒程度）続けることによって、最上位のタブ付きシート吸着を低減させることができる。そして、所定時間停止させた後（Ｓ２７）、ベルト駆動モータ２１ＭをＯＮして吸着搬送ベルト２１を回転させてタブ付きシートの搬送動作を再開させる（Ｓ２８）。
【００５７】
なお、本実施の形態でのタブ付シート以外のシートの給送動作については、第１の実施の形態におけるシート給送動作と同じ（図６（ｂ）を参照）であるため説明を省略する。
【００５８】
（第３の実施の形態）
図８のフローチャートを参照し、本発明の第３の実施の形態における、タブ部を給送方向下流側にセットされたタブ付シートの給送動作を説明する。なお、本第３の実施の形態は、第１の実施の形態に対して、搬送制御が異なるものであるため、その異なる搬送制御部分のみを詳細に説明して、その他は第１の実施の形態と同じであるため説明を省略する。
【００５９】
制御部Ｃに給紙準備信号が入力されると、エア吹き付け部が動作を開始してタブ付シートにエアの吹き付け行われて、最上位のタブ付シートを規定の領域内に浮上させておく。このときには、吸着シャッタ３７は閉じていて、吸引ダクト５１内はまだ負圧状態とはなっていないため、最上位のタブ付シートは浮上した状態である。
【００６０】
制御部Ｃから給紙信号が入力されると（ステップ３１：以下ステップをＳと記す）、吸着シャッタ３７を開放し、負圧状態の吸引ダクト５１によって吸着搬送ベルト２１の吸引孔２１Ａを介してエアを吸引する。これにより、最上位のタブ付きシートが吸着搬送ベルト２１に吸着される（Ｓ３２）。そして、タブ付シートが吸着されて吸着完了検知センサ１９がＯＮし（Ｓ３３）、その直後に吸着シャッタ３７により吸引ダクト５１を閉じることで、吸着搬送ベルト２１への吸着をＯＦＦする（Ｓ３４）。
【００６１】
このとき、吸引ダクト５１の内部の負圧は、吸引ダクト５１の吸引口５２の前側（タブ部に対向する部分）に隙間があるため、徐々に低減していくが、しばらくは最上位のタブ付シートは吸着搬送ベルト２１に吸着されたままである。そして、吸着シャッタ３７を閉じてから所定時間Ｔ（例えば  約４０ｍｓｅｃ）が経過したらベルト駆動モータ２１ＭをＯＮする（Ｓ３５）。
【００６２】
このとき、最上位のタブ付シートが吸着搬送ベルト２１に吸着した後も、吸引ダクト５１の吸引口５２の給送方向下流側が塞がれていないため、最上位のタブ付シートの下側のタブ付シートのタブ部が吸着されてしまうおそれがある。そこで、吸着シャッタ３７を閉じてから所定時間経過させることにより、最上位以外のタブ付シートのタブ部が吸着されたとしても、吸引ダクト５１内の負圧も減少するため吸着力も低減し、シートの自重で吸着が解除される。そして、時間Ｔが経過したら、ベルト駆動モータ２１Ｍを駆動して吸着搬送ベルト２１を回転して最上位のタブ付きシートを搬送する（Ｓ３６）。このようにすることによって、最上位のタブ付シートのみ搬送されて重送を防止することができる。
【００６３】
なお、シートの坪量やサイズや表面性や透気度等のシートの種類、そして温湿度等の給紙条件の違いにより、吸着搬送ベルトによる必要な吸着力は異なる。例えば、坪量が大きいほど、また、紙サイズが大きいほど自重により自由落下し易いので、所定時間Ｔを短く設定することができる。また、温湿度が高いほどシートの水分量は多く、その分重量も大きいので、所定時間Ｔを短く設定することができる。従って、生産性（単位時間あたりのシートの給送枚数）を上げるためには、最上位以外のタブ付シートに対する吸着力を低減させるために必要な所定時間Ｔをシートの種類や給紙条件の違いにより適宜変更することが望ましい。
【００６４】
上述した本発明の第１〜第３の各実施の形態による制御では、インサート装置７００のシート給送装置において、タブ部が給送方向下流側にセットされたタブ付シートを給送する場合でも、シートの重送やジャムの発生が防止できる。その結果、タブ付きシートを給送するための専用の機構を追加する必要がなく、コストが上がることを抑えることができる。また、吸引ダクト５１の吸引口５２を先端規制板１７の近くまで延ばすことができるため、タブ付シート以外のシートを給送する場合にシートの端部近くまで吸着することができて、シートの先端の垂れによるジャムを防止することができる。特に、剛度の低いシートでは垂れやすいため効果的である。
【００６５】
なお、本各実施の形態に対して、背景技術で説明した、後端規制板に、セットされるタブ付シートの全てのタブ部に当接可能なタブガイド部材を用いることにより、タブ部が給送方向下流側又は下流側のいずれの向きでセットされても給送可能となる。そのため、一方向の向きでしかタブ付きシートをセットできないシート給送装置では、必要に応じて下流側に反転機構を設ける必要があるが、この実施の形態では反転機構を用いる必要がないため、コストが上がることを抑えることができる。
【図面の簡単な説明】
【００６６】
【図１】本発明の実施の形態の画像形成装置の一例を示す断面図
【図２】図１に示したシート給送装置の一例を示す断面図
【図３】図１に示したシート給送装置のエア吹き付け部を説明する図
【図４】図１に示したシート給送装置の動作を説明する図
【図５】図１に示したシート給送装置の制御を行う制御部のブロック図
【図６】本発明の第１の実施の形態に係るシート給送装置の動作を説明するフローチャート
【図７】本発明の第２の実施の形態に係るシート給送装置の動作を説明するフローチャート
【図８】本発明の第３の実施の形態に係るシート給送装置の動作を説明するフローチャート
【図９】従来のシート給送装置の構成を説明する図
【図１０】従来のシート給送装置におけるタブ付シートの吸着状態を示す下視図
【図１１】従来のシート給送装置におけるタブ付シートの吸着状態を示す上視図
【符号の説明】
【００６７】
１９  吸着完了検知センサ
２１  吸着搬送ベルト
２１Ｍ  ベルト駆動モータ
３３  捌きノズル
３４  分離ノズル
３６  吸着ファン
３７ＳＬ  ソレノイド
５１  吸引ダクト
５２  吸引口
Ｃ  制御部
【図１】
2010173793.tif 000003
【図２】
2010173793.tif 000004
【図３】
2010173793.tif 000005
【図４】
2010173793.tif 000006
【図５】
2010173793.tif 000007
【図６】
2010173793.tif 000008
【図７】
2010173793.tif 000009
【図８】
2010173793.tif 000010
【図９】
2010173793.tif 000011
【図１０】
2010173793.tif 000012
【図１１】
2010173793.tif 000013